(57)【特許請求の範囲】
【請求項１】
同一方向に一斉に回転駆動させて被洗浄物を搬送させる送りローラーを多数配設したローラーコンベアーにして、外周下面が前記送りローラーの外周上面に、上方からスプリング力が加えられて接し、送りローラーの外周上面とで被洗浄物を挟持すようにした押えローラーと、送りローラーと押えローラーとで挟持されて移送される被洗浄物の上面と下面をガイドすべく間隙を保って上下に設けられたガイド部材と、ガイド部材を通して被洗浄物の上面と下面をブラッシングする回転ブラシと、高圧給水ポンプにより圧送された洗浄水を上下方向からカーテン状に噴射させる噴射ノズルとにより構成されてなることを特徴とするえのき茸栽培用巻板材の洗浄装置。
【請求項２】
押えローラーを支持した支持ブラケットは、該支持ブラケットの上面にスプリングを介在させて複数取付けられ、複数の支持ブラケットに支持された押えローラーの外周下面と送りローラーの外周上面とが前記スプリング力により接するようにし、被洗浄物がスプリング力で送りローラーの外周上面と押えローラーの外周下面との間に挟持されるように構成されてなることを特徴とする請求項１記載のえのき茸栽培用巻板材の洗浄装置。
【請求項３】
回転ブラシでブラッシングする側のガイド部材は、小径丸棒材を移送方向に沿って一定の間隔で平行に並設し、入口先端部に被洗浄物の移送前端をガイドする傾斜板が付設されてなることを特徴とする請求項１又は請求項２記載のえのき茸栽培用巻板材の洗浄装置。
【請求項４】
噴射ノズルで噴射する側のガイド部材は、フラットな面と被洗浄物の移送前端をガイドする傾斜面を形成し、中間部を空けて送りローラー間の前後に取付けるべく短幅に形成されてなることを特徴とする請求項１又は請求項２記載のえのき茸栽培用巻板材の洗浄装置。
【請求項５】
同一方向に一斉に回転駆動する送りローラーと、該送りローラーにスプリング力で接した押えローラーとで被洗浄物を挟持して被洗浄物の上面と下面をガイド部材でガイドして移送させながら、ガイド部材の小径丸棒材の間から回転ブラシの羽毛先を通してブラッシングした後、ガイド部材の空けられた中間部分に洗浄水をカーテン状に噴射させて洗浄することを特徴とするえのき茸栽培用巻板材の洗浄方法。
【請求項６】
被洗浄物の上面を上方から回転ブラシによりブラッシングし、洗浄水を上方からカーテン状に噴射させて洗浄した後、被洗浄物の下面を下方から回転ブラシによりブラッシングし、洗浄水を下方からカーテン状に噴射させて洗浄することを特徴とする請求項５記載のえのき茸栽培用巻板材の洗浄方法。
【発明の詳細な説明】
【技術分野】
【０００１】
本発明は、えのき茸を包囲するよう巻いて栽培するための巻板材の洗浄装置及び洗浄方法に関するものである。
【背景技術】
【０００２】
えのき茸を栽培するにおいては、１ｍｍ〜２ｍｍ程度の小径孔を多数穿設した半透明のフィルム状薄板材でえのき茸を包囲するように巻いて両端部のテープファスナーで止めて栽培を行っているが、栽培過程においてえのき茸の粘着物が付着するなどして汚れるため、使用後はえのき茸を包囲するように巻いた巻板材を取り外し、フラットな状態できれいに洗浄して次の栽培に備えているが、洗浄作業に多くの人手と時間を要している。
【０００３】
小径孔を形成したプリント基板等の板体を洗浄するのに供せられるものとして、搬送装置の真上に設けた圧力室に高圧液体を送入して前記圧力室のスリットから高圧液体のカーテンを形成させ、前記搬送装置により搬送される小径孔板体をこの高圧液体のカーテン中を通過させて小径孔内に前記高圧液体を注入することを特徴とする小径孔板体の洗浄方法及び小径孔板体洗浄装置が開示されている。（例えば、特許文献１参照）
【０００４】
又、マットの裏面洗浄、表面洗浄、濯ぎ、及び脱水を行うための各装置により構成され、送りローラーでマットを移送しながら下方からマットの裏面を下側が水タンクに浸漬したブラシローラーで洗浄し、裏面を洗浄したマットをベルトコンベアで移送しながら抑え具とローラーで抑えて石鹸水を注ぎ、マットの表面をブラシローラーで洗浄した後、ベルトコンベアの折り返えし部でマットがベルトから離れないように抑え具で保持しながらマットを反転させ、回転するベルトの下面にマットを抑え具と締りローラーで抑えながら洗浄水を噴射させてブラシローラーで濯ぎ、濯がれたマットをベルトと共に絞りローラーで脱水するといったマット洗浄機が開示されている。（例えば、特許文献２参照）
【特許文献１】特開平６−１８８５４２号公報
【特許文献２】特開平６−１５４７２０号公報
【発明の開示】
【発明が解決しようとする課題】
【０００５】
しかしながら、えのき茸を包囲するように巻いて栽培する巻板材（以下、被洗浄物という）は、その展開平面が図９に示す如く、１〜２ｍｍ程度の小径孔が多数穿設された厚さが０．２〜０．５ｍｍ程度の半透明のフィルム状薄板材で、両端部に巻いた状態で止着するためのテープファスナーが設けてあり、上記特許文献１に記載されるような搬送装置で搬送し、高圧液体のカーテン中を通過させるのみでは、付着したえのき茸の粘着物がうまく除去できなかったり、或いは高圧液体のカーテンにより被洗浄物が撓んだりしてスムーズに移送できないなどの問題点を有し、又上記特許文献２に記載されるベルトコンベアーで移送しながら、抑え具と抑えローラーで抑え、石鹸水を注いだり、洗浄水を噴射してブラシローラーで洗浄するやり方では、洗浄水を噴射してもベルトコンベアーで遮られて小径孔を貫通し難く、小径孔に付着したえのき茸の粘着物が効率良く除去できない問題点を有する。
【課題を解決するための手段】
【０００６】  本発明者は、えのき茸を包囲するように巻いて栽培するための小径穴を多数穿設したフイルム状薄板からなる被洗浄物をスムーズに移送させながら、表面や裏面及び小径穴に付着したえのき茸の粘着物を効率良く除去して洗浄する洗浄装置及び洗浄方法の開発に成功し、洗浄作業に要する人手と時間を大幅に低減したものであり、その解決するための手段は、同一方向に一斉に回転駆動させて被洗浄物を搬送させる送りローラーを多数配設したローラーコンベアーにして、外周下面が前記送りローラーの外周上面に、上方からスプリング力が加えられて接し、送りローラーの外周上面とで被洗浄物を挟持するようにした押えローラーと、送りローラーと押えローラーとで挟持されて移送される被洗浄物の上面と下面をガイドすべく間隙を保って上下に設けられたガイド部材と、ガイド部材を通して被洗浄物の上面と下面をブラッシングする回転ブラシと、高圧給水ポンプにより圧送された洗浄水を上下方向からカーテン状に噴射させる噴射ノズルとにより構成されてなることを特徴とするえのき茸栽培用巻板材の洗浄装置である。【０００７】  前記押えローラーを支持した支持ブラケットは、該支持ブラケットの上面に、スプリングを介在させて複数取付けられ、複数の支持ブラケットに支持された押えローラーの外周下面と送りローラーの外周上面とが前記スプリング力により接するようにし、被洗浄物がスプリング力で送りローラーの外周上面と押えローラーの外周下面との間に挟持されるように構成されてなることを特徴とする。【０００８】
又、前記回転ブラシでブラッシングする側のガイド部材は、小径丸棒材を移送方向に沿って一定の間隔で平行に並設し、入口先端部には被洗浄物移送前端をガイドする傾斜板が付設されてなることを特徴とし、噴射ノズルで噴射する側のガイド部材は、フラットな面と被洗浄物移送前端をガイドする傾斜面を形成し、中間部を空けて送りローラー間の前後に取付けるべく短幅に形成されてなることを特徴とする。
【０００９】
そして、同一方向に一斉に回転駆動する送りローラーと、該送りローラーにスプリングで接した押えローラーとで被洗浄物を挟持して被洗浄物の上面と下面をガイド部材でガイドして移送させながら、ガイド部材の小径丸棒材の間から回転ブラシの羽毛先を通してブラッシングした後、ガイド部材の空けられた中間部分に洗浄水をカーテン状に噴出させて洗浄するようにしたもので、被洗浄物の上面を上方から回転ブラシによりブラッシングし、洗浄水を上方からカーテン状に噴射させて洗浄した後、被洗浄物の下面を下方から回転ブラシによりブラッシングし、洗浄水を下方からカーテン状に噴射させて洗浄するようにした。
【発明の効果】
【００１０】  上記手段にて記載する如く、本発明は、同一方向に一斉に回転駆動させて被洗浄物を搬送させる送りローラーを多数配設したローラーコンベアーにして、外周下面が前記送りローラーの外周上面に、上方からスプリング力が加えられて接し、送りローラーの外周上面とで被洗浄物を挟持するようにした押えローラーと、送りローラーと押えローラーとで挟持されて移送される被洗浄物の上面と下面をガイドすべく間隙を保って上下に設けられたガイド部材と、ガイド部材を通して被洗浄物の上面と下面をブラッシングする回転ブラシと、高圧給水ポンプにより圧送された洗浄水を上下方向からカーテン状に噴射させる噴射ノズルとにより構成され、同一方向に一斉に回転駆動する送りローラーと、該送りローラーにスプリング力で接した押えローラーとで被洗浄物を挟持して被洗浄物の上面と下面をガイド部材でガイドして移送させながら、ガイド部材の小径丸棒材の間から回転ブラシの羽毛先を通してブラッシングした後、ガイド部材の空けられた中間部分に洗浄水をカーテン状に噴出させて洗浄するようにしたものであるから、えのき茸栽培用巻板材のような小径孔を多数穿設したフイルム状薄板材でもスムーズに移送できると共に、表面や小径孔に付着したえのき茸の粘着物が効率よく除去され、洗浄できる効果を奏する。【００１１】
又、上面を上方から回転ブラシによりブラッシングし、洗浄水を上方からカーテン状に噴射させて洗浄した後、下面を下方から回転ブラシによりブラッシングし、洗浄水を下方からカーテン状に噴射させて洗浄することにより、被洗浄物の上面と下面を裏返しすることなく洗浄することができる。
【発明を実施するための最良の形態】
【００１２】  本発明を実施するための最良の形態は、同一方向に一斉に回転駆動させて被洗浄物を搬送させる送りローラーを多数配設したローラーコンベアーにして、外周下面が前記送りローラーの外周上面に、上方からスプリング力が加えられて接し、送りローラーの外周上面とで被洗浄物を挟持するようにした押えローラーと、送りローラーと押えローラーとで挟持されて移送される被洗浄物の上面と下面をガイドすべく間隙を保って上下に設けられたガイド部材と、ガイド部材を通して被洗浄物の上面と下面をブラッシングする回転ブラシと、高圧ポンプにより圧送された洗浄水を上下方向からカーテン状に噴射させる噴射ノズルとにより構成され、同一方向に一斉に回転駆動する送りローラーと該送りローラーにスプリング力で接した押えローラーとで被洗浄物を挟持し、被洗浄物の上面と下面をガイド部材でガイドして移送させながら、ガイド部材の小径丸棒材の間から回転ブラシの羽毛先を通してブラッシングした後、ガイド部材の空けられた中間部分に洗浄水をカーテン状に噴射させて洗浄するようにした形態である。以下実施例にて図面を参照して説明する。
【実施例１】
【００１３】  図１は、本発明の実施例を示す側断面図であり、同一方向に一斉に回転駆動させて被洗浄物を搬送させるように送りローラー１，１，…を多数配設したローラーコンベアーにして、外周下面が前記送りローラー１，１，…の外周上面に、上方からスプリング力が加えられて接し、送りローラー１，１，…とで被洗浄物を挟持するようにした押えローラー２，２，…と、送りローラー１，１，…の外周上面と押えローラー２，２，…の外周下面の間に挟持されて移送される被洗浄物の上面と下面をスムーズにガイドすべく間隙を保って上下に設けられたガイド部材３，３，…、４，４，…と、ガイド部材を通して被洗浄物の上面と下面をブラッシングするように設けられた回転ブラシ５，５と、高圧給水ポンプ６により圧送された洗浄水を上下方向からカーテン状に噴射させる噴射ノズル７，７とにより構成されており、回転ブラシ５，５でブラッシングして洗浄水を噴射させる周囲はボックスカバー８，９で被覆され、下部のボックスカバー９には洗浄後の洗浄水の排水管９ａと窓付き開閉扉９ｂが設けられ、ローラーコンベアーの後端部には被洗浄物に付着した水滴の水切り台１０が付設されている。【００１４】
送りローラー１，１，…は、架台１１の左右上面の長手方向に図２にて示すように取付けられた支持板１２，１２に、両端部を軸受１３，１３で支持されて取付けられた長い金属製のローラーであり、軽量にするための中空パイプの両端部に軸部を延出して、延出した駆動側の軸端部に鎖歯車（スプロケット）１４を取付け、図１に示すように可変速モーター１５により、モーター駆動チェーン１６、送りローラー駆動チェーン１７を介して各送りローラー１，１，…の軸端部に取付けられた前記鎖歯車１４，１４，…を一斉に駆動させることにより、送りローラー１，１，…を同一方向（矢印方向）に一斉に回転駆動させるローラーコンベアーにしてあり、送りローラー１，１，…の送り速度が任意に変えられるようにしてある。
【００１５】  押えローラー２，２，…は、該押えローラーを支持した複数の支持ブラケット１８，１８，…の上面にスプリング１９，１９，…と例えば蝶番２０，２０，…を介在させて天板２１，２１，…に取付けられており、図２に示すように複数の支持ブラケットに支持された複数の押えローラー２，…の外周下面が、送りローラー１の外周上面に、上方からスプリング１９，…によりスプリング力が個々に加えられて接するようにしてあり、送りローラー１の回転駆動により反対方向に回転し、送りローラー１の外周上面と押えローラー２，…の外周下面との間に被洗浄物が挟み込まれるようにして移送される。
前記送りローラー１，１，…、押えローラー２，２，…は、外周面が弾性被膜でコーティングされているのが望ましいが、送りローラーか押えローラーのいずれかの外周面が弾性被膜でコーティングされていれば良く、本実施例では、コンベアー等に使用される市販の金属製ローラーを送りローラーとして使用し、キャスター等に使用される外周にゴム等の弾性体を貼着した市販のローラーを押えローラーとして使用した。【００１６】
前記送りローラー１，１，…の間には、各種のガイド部材３，…、４，…、４Ａ，…が組み合わされて設けてあり、洗浄部が被覆されたボックスカバー８，９外の前方部と後方部は送りローラー１，１，…の間隔を短くして、フラットな面と被洗浄物の移送前端がガイドされやすく傾斜面を形成したガイド部材４Ａ，４Ａ，…を配置し、ボックスカバー８，９の内部（洗浄部）、及びその入口と出口は送りローラー１，１，…の間隔を比較的に長くし、小径丸棒材を移送方向に沿って一定の間隔で平行に並設して被洗浄物の移送前端がガイドされやすく傾斜板を付設したガイド部材３，３，…と、フラットな面と被洗浄物の移送前端をガイドする傾斜面を形成したガイド部材４，４，…を配置して、図３，図４に示す如く、両端部が架台１１の上面に長手方向に沿って設けられた支持板１２，１２にそれぞれ高さ位置が調整できるようにして取付けられており、被洗浄物の上面と下面をスムーズにガイドして移送すべく、上下ガイド部材間の間隙Ｓはおおむね４〜６ｍｍ程度が保てるようにしてある。
【００１７】
図５は、前記ガイド部材４，４Ａの斜視図である。耐食性のある金属製薄板、例えばステンレス鋼の薄板等によりフラット面４ａと傾斜面４ｂを形成し、高さ位置が調整できるように長穴４ｃ，４ｃを穿設して取付けられるようにしてある。傾斜面４ｂの傾斜角度Ｔは、ガイド部材４の場合おおむね４０〜４５度、ガイド部材４Ａの場合はおおむね１５〜２０度とするのが良い。幅Ｗは、ガイド部材４の場合、噴射ノズル７（図１）の洗浄水噴射幅に応じ、中間部の空きが確保されるようにして決め、ガイド部材４Ａの場合はボックスカバー８，９の前方部と後方部の送りローラー１，１，…（図１）間の間隔に近接するような幅に決める。
【００１８】
図６は、前記ガイド部材３の斜視図である。耐食性のある金属製の例えばステンレス鋼の小径丸棒材３ａ，３ａ，…を間隔Ｐが１０〜２５ｍｍにして並べ、被洗浄物の移送前端をガイドする傾斜板３ｂを入口になる先端部に付設して支持棒３ｃ，３ｃでバックアップ支持され、高さ位置が調整できるように取付板部に長穴３ｄ，３ｄ，…を穿設して取付けられるようにしてある。傾斜板３ｂの傾斜角度Ｔ１は、おおむね１５〜２０度、小径丸棒材３ａ，３ａ，…の直径ｄは、おおむね１．５〜３ｍｍとし、回転ブラシ５（図１）でブラッシングする側の小径丸棒材の直径ｄは小径にして、間隔Ｐは広くするのが回転ブラシの羽毛先を通してブラッシングするのに抵抗が少なく好ましい。例えば回転ブラシ５でブラッシングする側の小径丸棒材の直径ｄを２ｍｍにして間隔Ｐを２５ｍｍにし、すべりガイド側の小径丸棒材の直径ｄを３ｍｍにして間隔Ｐを１０ｍｍにすると良い。
【００１９】
次に、回転ブラシによる被洗浄物のブラッシングと、噴射ノズルによる被洗浄物の洗浄例について図７，図８にて説明する。
図７は、回転ブラシ５により、被洗浄物Ｍの上面を上方からブラッシングする場合で、
（ａ）は要部側断面図、（ｂ）は（ａ）のＤ−Ｄ断面図である。図示する如く、被洗浄物Ｍは、送りローラー１の外周上面と、押えローラー２の外周下面との間にスプリング１９のスプリング力により挟み込まれるようにして送りローラー１の回転により、上下ガイド部材３，３の傾斜板３ｂ，３ｂで被洗浄物の移送前端がガイドされて間隙Ｓへ移送されると共に、上方から回転ブラシ５の回転により被洗浄物の上面をブラッシングする。回転ブラシ５は、図７の（ｂ）に示すように両端部が軸受２２，２２により支持された軸の一端を延出して自在接手２３を介して支持板１２の側部に取付けられた可変速モーター２４に直結され、可変速モーター２４により回転数が任意に変えてブラッシングできるようにしてある。上方のガイド部材３の小径丸棒材３ａ，３ａは、下方のガイド部材３の小径丸棒材３ａに較べ直径を小さくし、間隔を広くして回転ブラシ５の羽毛先を通してブラッシングするのに抵抗が少なくなるようにしてある。又、回転ブラシ５の回転方向は、被洗浄物Ｍの移送が妨げられない方向（本実施例図では矢印イ方向で、下方からブラッシングする場合は、矢印イ方向とは逆方向）とするのが良い。
【００２０】
図８は、高圧給水ポンプにより圧送された洗浄水を噴射ノズル７によりカーテン状に噴射させて被洗浄物Ｍの上面を洗浄する場合で、（ａ）の要部側断面図、（ｂ）は（ａ）のＥ−Ｅ断面図である。前工程より移送された被洗浄物Ｍは、送りローラー１の外周上面と、押えローラー２の外周下面との間にスプリング１９のスプリング力により挟み込まれるようにして送りローラー１の回転により、上方のガイド部材４，４と下方のガイド部材３の上方の傾斜部４ｂ，４ｂと下方の傾斜板３ｂで被洗浄部Ｍの移送前端がガイドされて間隙Ｓへ移送され、送りローラー１，１間の前後にガイド部材４，４を取付けて中間部を空け、該空けた中間部に上方から噴射ノズル７，…よりカーテン状に洗浄水を噴射させることにより洗浄する。被洗浄物Ｍはガイド部材３の小径丸棒材３ａ，３ａにより下方から下面が支えられて洗浄水の噴射圧を受けても撓わむことなく、且つ洗浄水が被洗浄物Ｍの小径孔をストレートに上方から下方へ貫通して洗浄され、小径丸棒材で被洗浄物Ｍの下面を受けてガイドするので洗浄水による面と面の付着がなくスムーズに被洗浄物は移送される。洗浄水の噴射圧は、図１に示した高圧給水ポンプ６からの給水配管の途中に設けられた調整バルブ７Ａ，７Ａにより任意に調整できるようにして、好適な噴射圧に調整できるようにしてある。
【００２１】
前記回転ブラシ５によるブラッシングと噴射ノズル７により洗浄水をカーテン状に噴射させて洗浄する部分、及びその前後の入口、出口部分においては、送りローラー１，１，…と、押えローラー２，２とにより被洗浄物Ｍを挟持するようにしてスムーズに移送させるためには送りローラー１，１の間隔を被洗浄物Ｍの送り幅と略一致するような間隔にするのが好ましく、前方の送りローラー１と押えローラーとで被洗浄物Ｍの前端部が挟持された時点で後方の送りローラー１と押えローラー２による被洗浄物Ｍの後端部が挟持からはずれるような間隔にするのが良い。
【００２２】
前記図７、図８では被洗浄物Ｍの上面を上方から回転ブラシ５によりブラッシングし、噴射ノズル７により洗浄水を上方からカーテン状に噴射させて洗浄する洗浄例であるが、被洗浄物Ｍの下面は、回転ブラシ５と噴射ノズル７を下方に設けて、下方から前記同様に行う。そして被洗浄物Ｍの上面を上方から回転ブラシ５によりブラッシングし、洗浄水を上方から噴射ノズル７によりカーテン状に噴射させて洗浄した後、被洗浄物Ｍの下面を下方から回転ブラシ５によりブラッシングし、洗浄水を下方から噴射ノズル７によりカーテン状に噴射させて、被洗浄物の上面と下面を洗浄する。
【産業上の利用可能性】
【００２３】
本発明は、えのき茸栽培用の巻板材以外の小径孔を多数穿設したシート等の薄板材にも利用の可能性がある。
【図面の簡単な説明】
【００２４】
【図１】本発明に係る洗浄装置の実施例を示す側断面図である。
【図２】図１のＡ−Ａ断面図である。
【図３】図１のＢ−Ｂ断面図である。
【図４】図１のＣ−Ｃ断面図である。
【図５】ガイド部材の斜視図である。
【図６】ガイド部材の斜視図である。
【図７】回転ブラシのブラッシング例を示す図面で、（ａ）は要部側断面図、（ｂ）は（ａ）のＤ−Ｄ断面図である。
【図８】噴射ノズルの洗浄水噴射洗浄例を示す図面で、（ａ）は要部断面図、（ｂ）は（ａ）のＥ−Ｅ断面図である。
【図９】えのき茸栽培用巻板材（被洗浄物）の展開平面図である。
【符号の説明】
【００２５】
１  送りローラー
２  押えローラー
３，４，４Ａ  ガイド部材
３ａ  小径丸棒材
３ｂ  傾斜板
３ｃ  支持棒
３ｄ，４ｃ  長穴
４ａ  フラット面
４ｂ  傾斜面
５  回転ブラシ
６  高圧給水ポンプ
７  噴射ノズル
７Ａ  調整バルブ
８，９  ボックスカバー
９ａ  排水管
９ｂ  窓付き開閉扉
１０  水切り台
１１  架台
１２  支持板
１３，２２  軸受
１４  鎖歯車（スプロケット）
１５，２４  可変速モーター
１６  モーター駆動チェーン
１７  送りローラー駆動チェーン
１８  支持ブラケット
１９  スプリング
２０  蝶番
２１  天板
２３  自在接手
Ｍ  被洗浄物（えのき茸栽培用巻板材）
【図１】
0004798427.tif 000002
【図２】
0004798427.tif 000003
【図３】
0004798427.tif 000004
【図４】
0004798427.tif 000005
【図５】
0004798427.tif 000006
【図６】
0004798427.tif 000007
【図７】
0004798427.tif 000008
【図８】
0004798427.tif 000009
【図９】
0004798427.tif 000010